(57)【要約】【課題】識別部が針やメス等の医療機器に触れて傷付いたり破損することを防止する。【解決手段】硬膜外麻酔用の注射針２の針先が硬膜外腔に達したことを識別するための硬膜外腔識別装置１であって、該識別装置１は、注射針２側に接続される透明又は半透明のケース３と、ケース３内に収容される可動体４と、ケース３内に形成され、可動体４を移動自在に案内する可動体移動経路３ａと、可動体移動経路３ａを注射針２側に連通させる連通口３ｂと、可動体移動経路３ａを外気に連通させる通気口３ｃと、通気口３ｃを塞ぐ位置で可動体４を保持する可動体保持部３ｄとを備え、注射針２の針先が硬膜外腔に達したとき、硬膜外腔の負圧に応じて可動体４が連通口３ｂ側に移動する。【選択図】図２
2015096115.tif 000002
【特許請求の範囲】
【請求項１】
硬膜外麻酔用注射針の針先が硬膜外腔に達したことを識別するための硬膜外腔識別装置であって、
該識別装置は、
注射針側に接続される透明又は半透明のケースと、
ケース内に収容される可動体と、
ケース内に形成され、可動体を移動自在に案内する可動体移動経路と、
可動体移動経路を注射針側に連通させる連通口と、
可動体移動経路を外気に連通させる通気口と、
通気口を塞ぐ位置で可動体を保持する可動体保持部とを備え、
注射針の針先が硬膜外腔に達したとき、硬膜外腔の負圧に応じて可動体が連通口側に移動することを特徴とする硬膜外腔識別装置。
【請求項２】
前記可動体が球体であることを特徴とする請求項１に記載の硬膜外腔識別装置。
【発明の詳細な説明】
【技術分野】
【０００１】
本発明は、外科、産科等において各種の沈痛性処置を行うときに実行される硬膜外麻酔をするに際して針先が硬膜外腔に至ったことを識別するための識別装置の技術分野に関するものである。
【背景技術】
【０００２】
一般に、硬膜外麻酔は、外科、産科等における各種の沈痛性処理に採用されてきているが、この場合に、注射針の針先が脊柱の硬膜外腔（空間）に穿刺されていることの識別をすることが要求される。ところで硬膜外腔は硬い黄色靭帯を越えた位置にあり、そこでタフィー針を脊柱に穿刺していったときに、針先が黄色靭帯に当たって抵抗を受けた状態から抵抗が消失したとき針先が硬膜外腔に至ったものと識別するのが一般であり、この技術は、麻酔医師にとっては高度で熟練したものが要求される。
【０００３】
そこで、シリンジに抜き差し自在に挿入されるプランジャを引いて弾機で蓄勢した状態にし、この状態で注射針を脊柱に差し込んでいって針先が黄色靭帯を越えて硬膜外腔に達して抵抗消失状態になると、プランジャが弾機蓄勢力を受けて前進し、これによって針先が硬膜外腔に達したことを識別するようにしたものが知られている（特許文献１参照）。ところがこのものは、特殊なシリンジ、プランジャを必要とするだけでなく、弾機も必要となって部品点数が多いうえ、構造も複雑になるという問題がある。
【０００４】
そこで、シリンジからの空気流入口と、硬膜外腔穿刺用針に空気を供給する空気供給口と、空気供給口側を閉じた状態で前記空気流入口から空気が供給されることにより正圧状態になって膨張する膨張膜（ダイヤフラム、ガスケット）とを備えた機器を用い、注射針の針先が黄色靭帯に達して抵抗を受けるか、それ以前の穿刺状態で前記シリンジからの空気の供給により膨張膜を膨張させる。しかる後、注射針を差込むことで針先が硬膜外腔に達すると、正圧状態が解除されて膨張膜が収縮することになり、これによって針先が硬膜外腔に達したことを識別できるようにしたものが知られている（特許文献２参照）。
【先行技術文献】
【特許文献】
【０００５】
【特許文献１】特許第４８１０４２１号公報
【特許文献２】ＵＳＰ７１７５６０８号公報
【発明の概要】
【発明が解決しようとする課題】
【０００６】
しかしながら、前記特許文献２のものは、識別部である膨張膜が外部に露出しているため、針やメス等の医療機器に触れることで傷付いたり破損してしまうという惧れがあるだけでなく、膨張膜の傷や破損により識別精度が低下する惧れがあり、ここに本発明の解決すべき課題がある。
【課題を解決するための手段】
【０００７】
本発明は、上記の如き実情に鑑みこれらの課題を解決することを目的として創作されたものであって、請求項１の発明は、硬膜外麻酔用注射針の針先が硬膜外腔に達したことを識別するための硬膜外腔識別装置であって、該識別装置は、注射針側に接続される透明又は半透明のケースと、ケース内に収容される可動体と、ケース内に形成され、可動体を移動自在に案内する可動体移動経路と、可動体移動経路を注射針側に連通させる連通口と、可動体移動経路を外気に連通させる通気口と、通気口を塞ぐ位置で可動体を保持する可動体保持部とを備え、注射針の針先が硬膜外腔に達したとき、硬膜外腔の負圧に応じて可動体が連通口側に移動することを特徴とする硬膜外腔識別装置である。
請求項２の発明は、前記可動体が球体であることを特徴とする請求項１に記載の硬膜外腔識別装置である。
【発明の効果】
【０００８】
請求項１の発明によれば、ケース内に収容される可動体が連通口側に移動することにより、硬膜外麻酔用注射針の針先が硬膜外腔に達したことを識別するので、識別部が外部に露出している従来の硬膜外腔識別装置のように、識別部が注射針等の医療機器に触れて破損するようなことがなく、針先の硬膜外腔への到達を正確に識別することができる。
また、請求項２の発明によれば、可動体を移動が円滑な球体としたので、硬膜外腔の負圧に応じて可動体を確実に移動させることができる。
【図面の簡単な説明】
【０００９】
【図１】（Ａ）は硬膜外腔識別装置の上面図、（Ｂ）は硬膜外腔識別装置の側面図、（Ｃ）は硬膜外腔識別装置のＸ−Ｘ断面図、（Ｄ）は硬膜外腔識別装置の下面図である。
【図２】可動体を初期位置に保持した状態（硬膜外腔未到達時）を示す硬膜外腔識別装置のＸ−Ｘ断面図である。
【図３】可動体が初期位置から連通口側に移動した状態（硬膜外腔到達時）を示す硬膜外腔識別装置のＸ−Ｘ断面図である。
【発明を実施するための形態】
【００１０】
以下、本発明の実施の形態について、図面に基づいて説明する。図１〜図３において、１は硬膜外麻酔用の注射針２の針先が硬膜外腔に達したことを識別するための硬膜外腔識別装置であって、該硬膜外腔識別装置１は、注射針２側に接続される透明又は半透明のケース３と、ケース３内に収容される可動体４とを備える。
【００１１】
ケース３の内部には、可動体４を移動自在に案内する可動体移動経路３ａが形成されている。本実施形態の可動体移動経路３ａは、球体からなる可動体４を上下方向に移動案内可能な形状を有しており、その下端側は、連通口３ｂを介して注射針２側に連通される一方、上端側は、通気口３ｃを介して外気に連通される。
【００１２】
具体的に説明すると、ケース３の下面部には、注射針２の基端部２ａが着脱自在に接続されるルアーテーパ５が一体的に突設されており、ルアーテーパ５に注射針２の基端部２ａを接続すると、可動体移動経路３ａの下端側が連通口３ｂ及びルアーテーパ５の中空部５ａを介して注射針２側に連通されるようになっている。一方、通気口３ｃは、ケース３の側壁部を貫通するように形成されており、可動体移動経路３ａの上端側を外気に連通させる。
【００１３】
可動体移動経路３ａには、通気口３ｃを塞ぐ位置（初期位置）で可動体４を保持する可動体保持部３ｄが形成されている。本実施形態の可動体保持部３ｄは、可動体移動経路３ａの中間部から内側方に突出するように形成され、球体からなる可動体４の下部を受止めることにより、通気口３ｃを塞ぐ位置で可動体４を保持する。
【００１４】
つぎに、上記のように構成された硬膜外腔識別装置１の使用方法について、図２及び図３を参照しつつ説明する。ただし、本発明の硬膜外腔識別装置１は、硬膜外腔が負圧状態であることを前提とし、注射針２の針先が硬膜外腔に達したことを視覚的に識別可能とするものである。
【００１５】
硬膜外麻酔をするに際し、注射針２の針先が硬膜外腔に達しているか否かの識別が必要になるが、それには、硬膜外腔識別装置１のルアーテーパ５に注射針２の基端部２ａを接続するとともに、通気口３ｃを塞ぐ位置で可動体４を保持した状態で、硬膜外腔識別装置１を垂直姿勢に保ちつつ、注射針２を脊柱に穿刺する。ここで、注射針２の針先が黄色靭帯に達すると穿刺抵抗を感じるが、さらに穿刺を続ける。そして、針先が硬膜外腔に達すると、硬膜外腔が負圧状態であることにもとづいて、硬膜外腔識別装置１内の空気が注射針２を介して硬膜外腔に流入する。このとき可動体４が通気口３ｃを塞いでいるので、硬膜外腔識別装置１内は瞬間的に負圧状態になり、可動体４を下方へ引っ張る力が作用する。可動体４は、下方へ引っ張る力を受けると、可動体保持部３ｄを乗り越えて連通口３ｂ側に落下するように移動する。この可動体４の移動を目視で確認することで、注射針２の針先が硬膜外腔に達したと判断できることになり、以降、注射針２から硬膜外腔識別装置１を外す等して硬膜外麻酔を行なうことが可能になる。
【００１６】
叙述の如く構成された本実施形態によれば、硬膜外麻酔用の注射針２の針先が硬膜外腔に達したことを識別するための硬膜外腔識別装置１であって、該識別装置１は、注射針２側に接続される透明又は半透明のケース３と、ケース３内に収容される可動体４と、ケース３内に形成され、可動体４を移動自在に案内する可動体移動経路３ａと、可動体移動経路３ａを注射針２側に連通させる連通口３ｂと、可動体移動経路３ａを外気に連通させる通気口３ｃと、通気口３ｃを塞ぐ位置で可動体４を保持する可動体保持部３ｄとを備え、注射針２の針先が硬膜外腔に達したとき、硬膜外腔の負圧に応じて可動体４が連通口３ｂ側に移動することにより、注射針２の針先が硬膜外腔に達したことを視覚的に識別可能にするので、識別部が外部に露出している従来の硬膜外腔識別装置のように、識別部が注射針２等の医療機器に触れて破損するようなことがなく、針先の硬膜外腔への到達を正確に識別することができる。
【００１７】
また、本実施形態では、可動体４を移動が円滑な球体としたので、硬膜外腔の負圧に応じて可動体４を確実に移動させることができる。
【００１８】
なお、本発明は、前記実施形態に限定されないことは勿論であって、特許請求の範囲内で種々の変更が可能であることは言うまでもない。例えば、可動体、可動体移動経路、可動体保持部などの形状は任意に変更することができる。
【産業上の利用可能性】
【００１９】
本発明は、硬膜外麻酔をする際に針先が硬膜外腔に達したか否かを識別する硬膜外腔識別装置に利用することができる。
【符号の説明】
【００２０】
１    硬膜外腔識別装置
２    針先
２ａ  基端部
２    注射針
３    ケース
３ａ  可動体移動経路
３ｂ  連通口
３ｃ  通気口
３ｄ  可動体保持部
４    可動体
５    ルアーテーパ
５ａ  中空部
【図１】
2015096115.tif 000003
【図２】
2015096115.tif 000004
【図３】
2015096115.tif 000005